(57)【特許請求の範囲】
【請求項１】
樹脂製のソールベースの前足部および後足部に、それぞれ、複数個のクリートを設けたフットボールシューズのソール構造であって、
前記ソールベースは、少なくとも前記前足部において、前記ソールベースの外周縁部が枠状に形成され、
前記ソールベースの外周縁部で囲まれた枠内領域には、複数本の桟状のブリッジ部が前記外周縁部に連なって一体に形成され、
前記複数のブリッジ部は前記枠内領域を複数の区画領域に分割し、
前記複数の区画領域には、前記ブリッジ部よりも細い複数本の桟状の格子状部が前記ブリッジ部に連なって一体に設けられて、前記区画領域内が網目状に形成され、
前記クリートは前記外周縁部または前記ブリッジ部の上に設けられ、
前記ソールベースの上面には少なくとも前記各区画領域を閉塞するシート状物が固着されていることを特徴とするフットボールシューズのソール構造。
【請求項２】
請求項１において、
前記ブリッジ部が概ねＸ字状に形成されているフットボールシューズのソール構造。
【請求項３】
請求項１もしくは２において、
前記シート状物が不織布、織布、織物および編物からなる群から選択された少なくとも１種であるフットボールシューズのソール構造。
【請求項４】
請求項１，２もしくは３において、
前記前足部の全てのクリートが前記外周縁部上、あるいは、前記外周縁部と前記ブリッジ部との交点、あるいは、前記ブリッジ部同士の交点のいずれかに配置されているフットボールシューズのソール構造。
【請求項５】
請求項１ないし４のいずれか１項において、
前記格子状部がトラス状に形成されて、前記ソールベースにおける前記区画領域内に複数の三角形状の貫通孔が形成されているフットボールシューズのソール構造。
【請求項６】
請求項１ないし５のいずれか１項において、
前記ソールベースの中足部から後足部にかけて、前記ソールベースの両側部から上方に向って巻き上がる巻上部が前記ソールベースに一体に形成されているフットボールシューズのソール構造。
【請求項７】
請求項１ないし６のいずれか１項において、
前記ソールベースの上方には、前記ソールベースとは別体の中底が設けられ、該中底により、ソールの後足部の曲げ剛性の値がソールの前足部の曲げ剛性よりも大きな値に設定されているフットボールシューズのソール構造。
【請求項８】
請求項１ないし７のいずれか１項において、
前記複数個のクリートが前記ソールベースに一体に形成された樹脂製の突起からなるフットボールシューズのソール構造。
【発明の詳細な説明】
【０００１】
【発明の背景】
発明の分野：
本発明はサッカーやラグビー等のフットボールシューズのソール構造に関する。
【０００２】
従来の技術：
特開平８−２１４９１０号には、図５に示すゴルフシューズのソールが開示されている。このソール１００の前足部には、開口部１０１が形成されていると共に、該開口部１０１を横断する複数本の桟１０２が設けられている。このソール１００は開口部１０１を設けることでソール１００の軽量化と屈曲性の向上を図っている。その一方で、スパイク（クリート）部分１０３を桟１０２によって補強することで、スパイク部分１０３から足に伝わる突き上げ感が小さくなるようにしている。また、前記先行技術では、桟１０２によって区画された貫通孔１０４を厚いミッドソール１０５で閉塞している。したがって、貫通孔１０４を比較的大きくすることができる。
【０００３】
しかし、前記先行技術のソール構造をフットボールシューズに採用するのは難しい。すなわち、運動の激しいフットボールでは、靴底にかかる衝撃に耐える強度が必要となるため、前記貫通孔を差程大きくできない。したがって、ソールの軽量化と屈曲性の向上を今一つ十分に図り得ない。
【０００４】
【発明の概要】
したがって、本発明の目的は、靴底に加わる衝撃に耐え得る強度を備え、かつ、軽量化および屈曲性の向上を図り得るフットボールシューズのソール構造を提供することである。
【０００５】
前記目的を達成するために、本発明のフットボールシューズのソール構造は、樹脂製のソールベースの前足部および後足部に、それぞれ、複数個のクリートが設けられている。前記ソールベースは、少なくとも前記前足部において、その外周縁部が枠状に形成されている。前記ソールベースの外周縁部で囲まれた枠内領域には、複数本の桟状のブリッジ部が前記外周縁部に連なって一体に形成されている。前記複数のブリッジ部は前記枠内領域を複数の区画領域に分割している。前記複数の区画領域には、前記ブリッジ部よりも細い複数本の桟状の格子状部が前記ブリッジ部に連なって一体に設けられて、前記区画領域内が網目状に形成されている。前記クリートは前記外周縁部または前記ブリッジ部の上に設けられている。前記ソールベースの上面には少なくとも前記各区画領域を閉塞するシート状物が固着されている。
【０００６】
【発明の効果】
本発明においては、クリートが外周縁部やブリッジ部の上に設けられている。特に、ソールベースにおける区画領域内に格子状部を設けたので、前記区画領域を広くすることができるから、ソールが適度な剛性を保ちつつ、軽量化および屈曲性の向上を図り得る。
【０００７】
本発明の前記シート状物としては、樹脂シートなどを用いることもできるが、軽く、かつ、屈曲性に富んでいる不織布、織物、織布または編物を用いるのが好ましい。
【０００８】
本発明においては、前記格子状部がトラス状に設けられて、前記ソールベースにおける前記区画領域内に複数の三角形状の貫通孔を形成するのが好ましい。このように、前記格子状部をトラス状に形成することで、ソールベースに沿った面の剛性（面内剛性）が向上し、ソールの捩じれ剛性を高めることができる。また、複数の貫通孔が形成されているので、ソールを軽量化できる。
【０００９】
なお、本発明においては、中足部や後足部についても前足部と同様の網目構造とするのが好ましい。この場合、中足部から後足部にかけての曲げ剛性を高めるために、前記ソールベースの中足部から後足部にかけて、前記ソールベースの両側部から上方に向って巻き上がる巻上部を前記ソールベースに一体に形成するのが好ましい。
また、前記ソールベースの上方には、前記ソールベースとは別体の中底を設け、該中底により、ソールの後足部の曲げ剛性の値がソールの前足部の曲げ剛性よりも大きな値に設定されるのが好ましい。
【００１０】
【実施例の説明】
本発明は、添付の図面を参考にした以下の好適な実施例の説明からより明瞭に理解されるであろう。しかしながら、実施例および図面は図示および説明のためのものである。本発明の範囲は請求の範囲に基づいて定められる。添付図面において、複数の図面における同一の部品番号は、同一または相当部分を示す。
【００１１】
図１において、フットボール用のスパイクシューズは、アウタソール１およびアッパー５０を備えている。前記アウタソール１は、図２（ａ）に示す樹脂製のアウタソール本体２と、図２（ｂ）に示すように、たとえば合成皮革などのシート状物３とが接着されて構成されている。
【００１２】
まず、前記アウターソール本体２について説明する。
前記アウターソール本体２は、ソールベース２０およびクリート２３が一体に樹脂で成形されてなる。
【００１３】
前記クリート２３は、たとえば概ね円錐台形でソールベース２０の前足部（踏み付部）２０ｆおよび後足部（踵部）２０ｂに、それぞれ、複数個一体に形成されて、これにより、ソールの軽量化が図られている。なお、図２（ｂ）に示すように、前記クリート２３は断面がカップ状に形成されている。つまり、クリート２３は図４に示すように、上方に開口した孔２３ｈを有する。これにより、ソールベース２０の軽量化が図られている。
【００１４】
図１の前記ソールベース２０は、ブリッジ部２１、格子状部２２および外周縁部２４が樹脂で一体に形成されてなる。前記外周縁部２４は、前足部２０ｆ，中足部（踏まず部）２０ｃおよび後足部２０ｂにかけて枠状に形成されている。
【００１５】
前記ソールベース２０の外周縁部２４で囲まれた枠内領域３１には、数本ないし多数本の前記ブリッジ部２１が前記外周縁部２４に連なって概ねＸ字状に一体に形成されている。前記外周縁部２４と前記ブリッジ部２１とで囲まれた数箇所の第１の区画領域３２、ならびに、前記ブリッジ部２１同士で囲まれた数個の第２の区画領域３３には、前記ブリッジ部２１よりも細い多数の桟からなる格子状部２２が前記ブリッジ部２１に連なって一体に設けられている。これにより、前記第１および第２の区画領域３２，３３が網目状に形成されている。前記格子状部２２はトラス状に形成されており、つまり、格子状部２２で囲まれた部分には多数の三角形状の貫通孔３４が形成されている。
このように、数個ないし多数個の小さな貫通孔３４を形成した網目構造になっていることで、ソールベース２０の軽量化と屈曲性の向上が図られている。
【００１６】
図２（ｂ）に明示するように、前記シート状物３は前記ソールベース２０の概ね全面にわたって接着されており、前記第１の区画領域３２（図１）および第２の区画領域３３の多数の貫通孔３４を閉塞する。なお、前記シート状物３は、孔２３ｈの開口部分については、切欠されている。
【００１７】
図１に明示するように、前記全てのクリート２３が前記外周縁部２４上、あるいは、前記外周縁縁部２４と前記ブリッジ部２１との交点、あるいは、前記ブリッジ部２１同士の交点のいずれかに配置されている。このように配置することにより、クリート２３から足裏に伝わる突き上げ感が小さくなる。
【００１８】
図４に示すように、前記アウタソール１の上には、第１の中底４１および第２の中底４２が、この順に接着されて積層される。なお、アウタソール１のシート状物３と第１の中底４１とを接着する接着剤は、防水機能を発揮する。そのため、水が貫通孔３４（図３）およびシート状物３を通ってシューズ内にしみ通るおそれはない。なお、シート状物３に防水機能を有する不織布、織布、織物または編物を用いてもよい。
【００１９】
前記第２の中底４２は、樹脂で形成されており、第１の中底４１よりも大きな曲げ剛性を有している。第２の中底４２は中足趾節（ＭＰ）関節よりも後方の部位に設けられ、これにより、ソールの中足部および後足部の曲げ剛性が、ソールの前足部よりも著しく大きくなっている。なお、５は中敷である。
なお、第１の中底４１の中足部および後足部の曲げ剛性を大きく設定して、第２の中底４２を設けないようにしてもよい。勿論、本発明は中底の剛性を限定するものではない。
【００２０】
また、前記ソールベース２０の中足部２０ｃから後足部２０ｂにかけては、前記ソールベース２０の両側部から上方に向って巻き上がる巻上部２６が前記ソールベース２０に一体に形成されている。この巻上部２６によっても、曲げ剛性を大きくしている。
【００２１】
以上のとおり、図面を参照しながら好適な実施例を説明したが、当業者であれば、本明細書を見て、自明な範囲で種々の変更および修正を容易に想定するであろう。
たとえば、網目構造の貫通孔の形状は方形、六角形または円形に設定してもよい。
また、中足部や後足部については網目構造とする必要がない。
また、クリートは金属やその他の素材も使用してよい。また、クリートの形状は円柱形やその他の形状としてもよい。
したがって、そのような変更および修正は、請求の範囲から定まる本発明の範囲内のものと解釈される。
【図面の簡単な説明】
【図１】図１は本発明の一実施例を示すフットボールシューズの斜視図である。
【図２】図２（ａ）はアウタソール本体を示す側面図、図２（ｂ）は図３のＩＩｂ−ＩＩｂ線断面図である。
【図３】図３はアウタソールを示す底面図である。
【図４】図４はソール構造を示す分解斜視図である。
【図５】図５は従来のスパイクシューズを示す底面図である。
【符号の説明】
２０：ソールベース
２０ｂ：後足部
２０ｃ：中足部
２０ｆ：前足部
２１：ブリッジ部
２２：格子状部
２３：クリート
２４：外周縁部
２６：巻上部
３：シート状物
３１：枠内領域
３２：（第１の）区画領域
３３：第２の区画領域
３４：貫通孔
４１：第１の中底
４２：第２の中底
【図１】
0003806311.tif 000002
【図２】
0003806311.tif 000003
【図３】
0003806311.tif 000004
【図４】
0003806311.tif 000005
【図５】
0003806311.tif 000006